【手続補正書】
【提出日】平成16年2月26日(2004.2.26)
【手続補正１】
【補正対象書類名】明細書
【補正対象項目名】特許請求の範囲
【補正方法】変更
【補正の内容】
【特許請求の範囲】
【請求項１】
第１の基板と、該第１の基板に対してシール材によって所定の間隙を介して貼り合わされた第２の基板と、前記間隙のうち、シール材で区画された領域内に保持された電気光学物質層とを有し、前記第１の基板および前記第２の基板の各々に形成された透明な第１の駆動電極および透明な第２の駆動電極によって前記電気光学物質層に電界が印加される電気光学装置において、
前記第１の基板は、前記第２の基板からの張り出し領域に形成された実装端子と、前記第２の基板との重なり領域に形成された第１の基板間導通端子と、前記実装端子と前記第１の駆動電極とを接続する第１の配線パターンと、前記実装端子と前記第１の基板間導通端子とを接続する第２の配線パターンとを備え、
前記第２の基板は、前記第１の基板間導通端子に対向する第２の基板間導通端子を備え、
前記第１の基板における前記第１の駆動電極の下層側には、前記第１の駆動電極と前記第２の駆動電極とが対向する領域と重なる領域の一部に光透過穴が形成された光反射膜が形成されているとともに、前記光反射膜と前記第１の駆動電極との層間にカラーフィルタ層が形成され、
前記第２の配線パターンは、少なくともその一部に前記光反射膜と同一の金属膜からなる金属配線を備えていることを特徴とする電気光学装置。
【請求項２】
請求項１において、前記実装端子および前記第１の基板間導通端子は、前記第１の駆動電極を構成する透明導電膜から構成されていることを特徴とする電気光学装置。
【請求項３】
請求項１または２において、前記カラーフィルタ層と前記第１の駆動電極との層間には、少なくとも前記第１の基板間導通端子および前記実装端子が形成されている領域を避けるように透明な有機絶縁膜が形成され、
当該有機絶縁膜と前記第１の駆動電極との層間には、前記第１の基板の略全体に無機絶縁膜が形成されていることを特徴とする電気光学装置。
【請求項４】
請求項３において、前記金属配線は、前記第１の配線パターンおよび前記第２の配線パターンのうち、前記第２の基板の基板辺から露出している領域では途切れていることを特徴とする電気光学装置。
【請求項５】
請求項３において、前記金属配線は、前記第１の配線パターン、および前記第２の配線パターンのうち、前記第２の基板の基板辺から露出している領域にも形成されているとともに、
当該露出している領域の前記金属配線の上層側には前記有機絶縁膜が形成されていることを特徴とする電気光学装置。
【請求項６】
請求項３ないし５のいずれかにおいて、前記第１の配線パターンは、前記実装端子が形成されている領域のうち、その中央領域で配列する実装端子から対向する基板辺に向かって延びて前記第１の駆動電極に接続し、
前記第２の配線パターンは、前記実装端子が形成されている領域のうち、その両側領域で配列する実装端子から前記第１の配線パターンが形成されている領域の外側を通って延びて、画像表示領域の両側領域で基板辺に沿って配列されている前記第１の基板間導通端子に接続し、
前記第２の駆動電極は、前記画像表示領域において前記第１の駆動電極と交差する方向に延びて前記第２の基板間導通端子に接続していることを特徴とする電気光学装置。
【請求項７】
請求項３ないし５のいずれかにおいて、少なくとも前記光反射膜を構成する金属膜が形成されている領域の下層側に下地導電膜が形成されていることを特徴とする電気光学装置。
【請求項８】
請求項３ないし６のいずれかにおいて、前記光反射膜を構成する金属膜が形成されている領域の上層に導電性保護膜が形成されていることを特徴とする電気光学装置。
【請求項９】
請求項７または８において、前記下地導電膜には、前記光透過穴と重なる領域に穴が形成されていることを特徴とする電気光学装置。
【請求項１０】
請求項７ないし９のいずれかにおいて、前記下地導電膜は、前記実装端子の下層側、および前記第１の基板間導通端子の下層側にも形成されていることを特徴とする電気光学装置。
【請求項１１】
請求項７ないし１０のいずれかにおいて、前記光反射膜は、銀合金膜、アルミニウム合金膜、アルミニウム膜のいずれかから構成されていることを特徴とする電気光学装置。
【請求項１２】
請求項７ないし１０のいずれかにおいて、前記光反射膜は、上層にアルミニウム合金膜もしくはアルミニウム膜を有し、前記上層と前記下地導電膜との中間層となる下層にモリブデン膜もしくはモリブデン合金膜を有する２層積層から構成されていることを特徴とする電気光学装置。
【請求項１３】
請求項３ないし１２のいずれかにおいて、前記光反射膜を構成する金属膜は、前記実装端子、および前記第１の基板間導通端子にも形成されていることを特徴とする電気光学装置。
【請求項１４】
請求項１０または１３において、前記実装端子と駆動用ＩＣのバンプが樹脂成分に分散している導電粒子を介して電気的に接続し、かつ前記導電粒子が前記実装端子に形成されている前記無機絶縁膜を貫通していることを特徴とする電気光学装置。
【請求項１５】
請求項１０、１３または１４において、前記第１の基板間導通端子と前記第２の基板間導通端子は、樹脂成分に分散している導電粒子を介して電気的に接続し、かつ前記導電粒子が前記第１の基板間導通端子の下層側に形成されている前記無機絶縁膜を貫通していることを特徴とする電気光学装置。
【請求項１６】
請求項１ないし１５のいずれかに規定する電気光学装置を表示部として有することを特徴とする電子機器。
【手続補正２】
【補正対象書類名】明細書
【補正対象項目名】００１３
【補正方法】変更
【補正の内容】
【００１３】
【課題を解決するための手段】
上記課題を解決するため、本発明では、第１の基板と、該第１の基板に対してシール材によって所定の間隙を介して貼り合わされた第２の基板と、前記間隙のうち、シール材で区画された領域内に保持された電気光学物質層とを有し、前記第１の基板および前記第２の基板の各々に形成された透明な第１の駆動電極および透明な第２の駆動電極によって前記電気光学物質層に電界が印加される電気光学装置において、前記第１の基板は、前記第２の基板からの張り出し領域に形成された実装端子と、前記第２の基板との重なり領域に形成された第１の基板間導通端子と、前記実装端子と前記第１の駆動電極とを接続する第１の配線パターンと、前記実装端子と前記第１の基板間導通端子とを接続する第２の配線パターンとを備え、前記第２の基板は、前記第１の基板間導通端子に対向する第２の基板間導通端子を備え、前記第１の基板における前記第１の駆動電極の下層側には、前記第１の駆動電極と前記第２の駆動電極とが対向する領域と重なる領域の一部に光透過穴が形成された光反射膜が形成されているとともに、前記光反射膜と前記第１の駆動電極との層間にカラーフィルタ層が形成され、前記第２の配線パターンは、少なくともその一部に前記光反射層と同一の金属膜からなる金属配線を備えていることを特徴とする。


【手続補正３】
【補正対象書類名】明細書
【補正対象項目名】００２４
【補正方法】変更
【補正の内容】
【００２４】
本発明において、前記下地導電膜が形成される前記光反射膜は、例えば、銀合金膜である。あるいは用いられる光反射層は、アルミニウム合金膜、もしくはアルミニウム膜である。


【手続補正４】
【補正対象書類名】明細書
【補正対象項目名】００２５
【補正方法】変更
【補正の内容】
【００２５】
また、前記光反射膜は、上層にアルミニウム合金膜もしくはアルミニウム膜を有し、前記上層と前記下地導電膜との中間層となる下層にモリブデン膜もしくはモリブデン合金膜を有する２層積層から構成されることもある。


【手続補正５】
【補正対象書類名】明細書
【補正対象項目名】００２６
【補正方法】変更
【補正の内容】
【００２６】
本発明において、前記光反射膜を構成する金属膜は、前記実装端子、および前記第１の基板間導通端子の下層側にも形成されていることが好ましい。


【手続補正６】
【補正対象書類名】明細書
【補正対象項目名】００２８
【補正方法】変更
【補正の内容】
【００２８】
同様に、前記下地導電膜、あるいは前記光反射膜を構成する金属膜が前記実装端子、および前記第１の基板間導通端子にも形成されている場合には、
前記第１の基板間導通端子と前記第２の基板間導通端子は、樹脂成分に分散している導電粒子を介して電気的に接続し、その際に前記導電粒子が前記第１の基板間導通端子内に形成されている前記無機絶縁膜を貫通していることが好ましい。このように構成すると、第１の基板間導通端子と第２の基板間導通端子とを接続した際、第１の基板間導通端子内では、前記導電粒子が絶縁膜を貫通することで第１の基板間導通端子と、その下層側に形成されている金属膜や下地導電膜と電気的に導通させることができる。


【手続補正７】
【補正対象書類名】明細書
【補正対象項目名】００６８
【補正方法】変更
【補正の内容】
【００６８】
同様に、張り出し領域１５側で第２の基板２０の基板辺２０１が重なる部分で、導電粒子３０３を含むシール材３０１を介して第１の基板１０と第２の基板２０とが熱圧着する際、第２の配線パターン１２の上層配線１５２の下層側には無機絶縁膜１４０が形成されているが、その下層側には、光反射膜１２０と同時形成された金属膜からなる第２の配線パターン１２の下層配線１２２が形成され、さらにその下層側には、下地導電膜１１０からなる第２の配線パターン１２の最下層配線１１２が形成されている。このため、シール材３０１を介して第１の基板１０と第２の基板２０とが熱圧着した際、その圧力で導電粒子３０３が無機絶縁膜１４０を貫通し、第２の配線パターン１２の上層配線１５２は、第２の配線パターン１２の下層配線１２２に電気的に接続するとともに、この下層配線１２２を介して、第２の配線パターン１２の最下層配線１１２にも電気的に接続することになる。


【手続補正８】
【補正対象書類名】明細書
【補正対象項目名】００７０
【補正方法】変更
【補正の内容】
【００７０】
さらに、第１の基板間導通端子１７０が形成されている部分で、導電粒子３０３を含むシール材３０１を介して第１の基板１０と第２の基板２０とを熱圧着する際、第１の基板間導通端子１７０の下層側には無機絶縁膜１４０が形成されているが、その下層側には、光反射膜１２０と同時形成された第２の配線パターン１２の下層配線１２２が形成され、さらにその下層側には、下地導電膜１１０からなる第２の配線パターン１２の最下層配線１１２が形成されている。このため、シール材３０１を介して第１の基板１０と第２の基板２０とが熱圧着した際、その圧力で導電粒子３０３が無機絶縁膜１４０を貫通し、第１の基板間導通端子１７０は、第２の配線パターン１２の下層配線１２２に電気的に接続するとともに、この下層配線１２２を介して、第２の配線パターン１２の最下層配線１１２にも電気的に接続することになる。


【手続補正９】
【補正対象書類名】明細書
【補正対象項目名】００７１
【補正方法】変更
【補正の内容】
【００７１】
このように構成した電気光学装置１において、駆動用ＩＣ５０から各実装端子１６０に信号が出力されると、中央領域に形成されている実装端子１６０からは、第１の駆動電極１５０と同時形成されたＩＴＯ膜からなる上層配線１５１、およびＩＴＯ膜からなる最下層配線１１５を備えた第１の配線パターン１１を介して第１の駆動電極１５０に供給される。


【手続補正１０】
【補正対象書類名】明細書
【補正対象項目名】００７２
【補正方法】変更
【補正の内容】
【００７２】
これに対して、両側領域に形成されている実装端子１６０からは、第２の配線パターン１２のうち、第２の基板２０の基板辺２０１から露出している部分では、第１の駆動電極１５０と同時形成されたＩＴＯ膜からなる上層配線１５２、およびＩＴＯ膜からなる最下層配線１１２を介して信号が伝達された後、第２の基板２０と重なる領域では、光反射膜１２０と同時形成された第２の配線パターン１２の下層配線１２２、およびＩＴＯ膜からなる最下層配線１１２を介して第１の基板間導通端子１７０に信号が供給される。そして、第１の基板間導通端子１７０に供給された信号は、第１の基板間導通端子１７０、シール材３０１に含まれる導電粒子３０３、および第２の基板間導通端子２７０を介して第２の駆動電極２５０に供給される。


【手続補正１１】
【補正対象書類名】明細書
【補正対象項目名】００７４
【補正方法】変更
【補正の内容】
【００７４】
この際、第１の基板１０には、第１の駆動電極１５０と第２の駆動電極２５０とが対向する領域と重なる部分にカラーフィルタ層７Ｒ、７Ｇ、７Ｂが形成されているので、カラー画像を表示することができる。